Podtech/llm-jp-corpus-v4-ja_patent huggingface dataset:
(57)【要約】      （修正有）【課題】高性能で、どこででも切ったり、貼ったり、穴加工が出来る極薄い断熱材の提供。【解決手段】金属シート１（アルミ６ミクロンから１００ミクロンなど）とウレタン、ペット、スチロール等の発泡樹脂２、グラスウールなどの０．５ミリから５ミリ厚みの物を積層することにより、薄く、高性能でどこででも切ったり、貼ったり、穴加工が出来、周辺からのヒートブリッジも防げ、且つ真空断熱材と同等の性能を持つ極薄い断熱材とする。【選択図】図１
2010030261.tif 000002
【特許請求の範囲】
【請求項１】
金属シート（アルミ  ６ミクロンから１００ミクロンなど）と発泡樹脂、グラスウール、ペット樹脂繊維等の０．５ミリから５ミリ厚みの物を積層した。極薄い断熱材を提供する。
【請求項２】
１で製作された極薄の断熱材を５層から１００層積層した  、多段式断熱材を提供する。求める性能に合わせて厚みを調整できる断熱材を提供する。
【請求項３】
求められる断熱性能に合わせるよう、１で製作するアルミ、発泡樹脂、グラスウール、ペット樹脂繊維等の厚みを変える事により、最適な厚みの断熱材を提供する。
【発明の詳細な説明】
【技術分野】
【０００１】      本発明は、冷凍、冷蔵庫。冷凍庫、コンテナ、パイプカバー、住宅用断熱パネル、空調ダクト等に用いられる断熱材に関するものである。
【背景技術】
【０００２】
【特許文献１】特許公開２００５−２１４３４１
【発明の開示】
【発明が解決しようとする課題】
【０００３】近年、地球環境保全のために、オゾン層保護及び地球温暖化防止等の技術として、脱フロン又は省エネルギー技術の確立が求められており、省エネルギー技術の一つである断熱技術分野では、高性能の真空断熱材が注目されているが、欠点が無い訳ではなく、切ったり、穴を空けたり出来ない等の弱点が有るのである。また  周囲からのヒートブリッジも防ぐことができない。
断熱性能を上げるには単純に断熱材の厚みを、２倍にすれば  性能は２倍になるが、２倍のコストと厚みを増すための、断熱幅が増えるので、単純に厚みを増やす事は出来ない。
断熱厚みを増やさず性能を上げるには更なる高性能な断熱材を必要とする。
厚みとコストを抑えられる断熱材が理想なのである。同材質の断熱材を加工し断熱性能を上げる事が出来れば、新規選択の必要もなく，同材質での性能アップが簡単に選択出来る。
【課題を解決するための手段】
【０００４】真空断熱材に匹敵する性能を持ち、どこでも切断、穴加工が出来る高性能断熱材を開発する。
【発明の効果】
【０００５】断熱材は薄く、高性能で、どこででも切ったり、貼ったり、穴加工が出来るのが理想である。本断熱材は真空断熱材と同等の性能を持ち、真空パックされていないからどこでも切れるし、どこでも穴が空けられ、作業環境を選ばないのである。
【発明を実施するための最良の形態】
【０００６】ここでは、アルミシート（６〜１００ミクロン）に発泡樹脂（０．５ミリから５ミリを積層した。極薄型の断熱材を作り、これを積層して、多層断熱材を製作する。
【実施例】
【０００７】上記で製作した極薄断熱材を（アルミ６ミクロン、発泡樹脂０．５ミリ）合計０．５０６ミリの断熱材を用途、求める断熱性能により多段式に積み重ねる。たとえば２０ミリ必要なら２０枚積層すれば、０．５０６＊２０枚は１０．１２ミリの多段断熱材が完成する。
構成する部材の厚みを求める断熱条件により変化させる事も出来る。
これは  真空断熱材に匹敵する性能を持っている。【０００８】同様に１００ミリ程度の物が必要な場合は、０．５０６＊１００枚積層すれば良い。【０００９】また  求める断熱性能によりアルミ１０ミクロン＋発泡樹脂５ミリとして、これを１０段積層しても良い、その場合厚みは、（０．０１＋５）＊１０枚＝５０．１ミリの多段高性能断熱材が完成する。【００１０】発泡樹脂をグラスウール／ボード等に換え、同等の性能を出す事も出来る。
またこの場合、製作単価も材質を換える事により安価な物を選択できる。【００１１】このように、求める性能、コスト、厚みに、簡単に対応できる高性能断熱材である。
アルミ箔を強度の面から、ＰＥフィルム（２ミクロン程度）で積層した物を利用して溶着しても良い。
【産業上の利用可能性】
【００１２】最低で１．００６ミリの極薄断熱材を提供でき、希望の断熱性能を、厚み、積層数で、選択する事が出来る。希望する断熱性能を向上出来る結果、各種断熱材として適用できる。
【図面の簡単な説明】
【００１３】
【図１】  アルミと発泡樹脂を積層したものの断面図です。
【図２】  図１に記す断熱材を積層した多段断熱材です。
【符号の説明】
【００１４】  １．  ６ミクロンから１００ミクロンのアルミ
２．  発泡樹脂
【図１】
2010030261.tif 000003
【図２】
2010030261.tif 000004
(57)【要約】【課題】顔の表面の毛穴に蓄積される皮脂によって発生するにきび等を除去及び防止をする。【解決手段】  資源量が豊富で安価な天然ゼオライトを粉末状にし、それを水に混ぜて顔の表面に塗ることにより、脂分を吸収するゼオライトの性質を利用して顔の余分な皮脂を除去し、にきびの除去や防止を図る。【選択図】図１
2010030977.tif 000002
【特許請求の範囲】
【請求項１】
天然ゼオライトに水を含有させて使用する洗顔料。
【請求項２】
成分が、ケイ酸、酸化アルミニウム、酸化鉄、酸化マグネシウム、酸化カルシウム、酸化ナトリウム、酸化カリウムで、粒径が４ｕｍ〜１２ｕｍである請求項１記載の洗顔料。
【発明の詳細な説明】
【技術分野】
【０００１】  本発明は、天然ゼオライトを粒径にしたものを水と混合させ、顔の表面に塗って毛穴の中の皮脂を表面に浮き出させて洗い流す事が出来る洗顔料に関する。
【背景技術】
【０００２】  皮膚表面に存在している皮脂は、保湿効果を伴い、外部からの有害物質等の侵入防止、体外への水分放出を抑えるなどの効果を果たしている。しかしながら、皮脂内に含まれている脂肪酸等の固体成分が毛穴の中で蓄積しやすく、毛穴がつまり、増殖してにきびが発生する原因ともなる。【０００３】  又、毛穴が完全に塞がれてしまうと真皮の深い部分でも炎症や化膿を起こし、皮膚を保護するべき皮脂の分泌が妨げられ、常在菌によって二次感染を起こす。常在菌とは、皮膚内に存在し、脂肪が好きで空気を好まないという性質を持つ為、毛孔閉鎖が起こると、皮膚内にあるたくさんの脂肪を食べて増殖し、炎症を起こし、にきびが出来る。【０００４】  これらの問題を解決する為に様々な洗顔料、化粧品、薬用品があり、効果もあることは確認されている。しかしながら、これらの洗顔料等には、人工的に作られた化学物質等が含まれており、天然物質が１００％使用されている物はない。確かに人間の肌に触れる物である以上、人体に有害になる物が含有していないのは周知の通りである。
【発明の開示】
【発明が解決しようとする課題】
【０００５】  市販されている洗顔料、化粧品、薬用品等を作る過程において、大量生産であるが故に多大な製造エネルギーが必要となり、様々な原料も必要となってくるので、環境負荷の面から考えると決して良い状態では無いと考えざるを得ない。当然、コストもそれ相当にかかってくる為、商品売価にも跳ね返ってくる。まして、にきびが出る年齢は、思春期という時期であり、ほとんどが学生であり、小遣い程度で購入出来る物でなければならない上に、にきび等を完治させるには、継続的な使用が必要となってくるので、洗顔料等の単品が安価であっても、長い期間使用していけば、相当な負担にもつながってくる。
【課題を解決するための手段】
【０００６】  天然ゼオライトの構造は、網目構造となっており、その細孔を通して各種の分子を孔路内に吸着するという性質を持っている。又、成分中にあるカルシウム、マグネシウム、カリウム、ナトリウムは水と接触するとイオン化する為、皮膚へ吸収されやすくなっている。天然ゼオライトは、このような性質を持つ天然鉱物であり、資源量も豊富にあるので、相当安価な物質である。それを粉末状にして、顔の表面に塗るだけで、毛穴の皮脂分を吸収し、毛穴皮脂が原因で出来るにきび等の除去、及び防止につながるのではないかという事に着目し、開発した。
【発明の効果】
【０００７】  １００％天然ゼオライトなので、ゼオライトを構成する物質以外は一切混入せず、製造エネルギーも天然ゼオライト鉱物の採掘、粉砕、乾燥のみのエネルギーであるので、市販されている洗顔料、薬用品等を製造する際に必要な様々な原料加工、混入などの全体的な生産エネルギーの比ではないので、環境負荷の面から考えて比較すると、相当良い環境負荷低減にもつながってくる。又、元々豊富にある資源量なので、生産コストも相当安価に出来、前記した長期的商品購入負担もかなり軽減される。
【発明を実施するための最良の形態】
【０００８】  以下、本発明の実施の形態について説明する。実施例では、使用方法を説明する。基本的に実施例に基づいての使用方法であるが、使用する量は個人差が生じるので、あえて使用量は抽象的に記載する。又、ここでは、あえて、にきびの除去、防止に対しての使用方法を記載するが、顔の余分な皮脂を除去したい場合も同様の使用方法とする。
【実施例】
【０００９】  図１に使用例を示す。粉末状天然ゼオライト１（以下、ゼオライトと称する）を所要量、片手の手のひら２に取り、ゼオライト１に水３を混ぜ、両手でこすり合わせながら練り混ぜる。顔の表面に塗れる程度の適度な柔らかさになる様に混入水３の量を調整しながら練り混ぜる。練り混ぜたゼオライトを顔のにきび部位４に手の平で丁寧に広げるように塗る。【００１０】  塗った後は、ゼオライトが乾燥するまで待つ。顔の表面に付着したゼオライトから水分が抜けた状態を鏡等で目視で確認した後、水で顔を洗い、表面に付着したゼオライトを完全に洗い流して落とす。このような使用方法で、顔の表面の皮脂を除去し、にきびの除去防止効果を図る。【００１１】  顔に塗った後で、水で洗い流さずに顔の皮膚に付着していた分の使用後のゼオライトを採取して（３０人分）分析した結果、人体由来の脂成分及び変化物成分のテトラメチルヘキサデカテトラエン−１−オール、テトラメチルオクタデカテトラエナール、ヘキサメチルテトラコサン、ヘキサメチルテトラコサヘキサエン、コレステロール、コレステノンが吸着していた。顔に塗る前のゼオライトには、前記成分がいずれも検出されなかった事から考えると、ゼオライトによる顔皮脂分の吸着効果が得られる事がわかる。分析方法はガスクロマトグラフ質量分析で行った。【００１２】  次に、顔に塗る前のゼオライトが人体に害を及ぼすかどうかの分析を行った結果、土壌汚染及び健康に害を及ぼす成分のカドミウム、全シアン、鉛、六価クロム、砒素、総水銀、セレン、フッ素、ホウ素の成分はいずれもほとんど検出されなかった。分析方法は、電気加熱原子吸光法、吸光光度法、ジフェニルカルバジド吸光光度法、水素化物発生原子吸光法、原子吸光法、イオンクロマトグラフ法、ＩＣＰ−ＭＳ法で行った。この結果より、ゼオライトは人体には無害で、洗顔料として安全に使用出来るという証明となる。
【産業上の利用可能性】
【００１３】  顔だけでなく、身体にも応用して、余分な皮脂除去や、皮脂が原因で出来る吹き出物等の除去及び防止に使用しても良い。
【図面の簡単な説明】
【００１４】
【図１】  天然ゼオライト洗顔料の使用例を表した図である。
【符号の説明】
【００１５】１  天然ゼオライト
２  手のひら
３  水
４  にきび部位
【図１】
2010030977.tif 000003
(57)【要約】【課題】  本発明は、簡便に摂取が可能かつ安全な寿命延長組成物、またはそれを含有する寿命延長食品を提供することを目的とする。【解決手段】  本発明は、麹菌による大豆胚芽発酵物からなる寿命延長組成物、またはその組成物を含む寿命延長食品に関するものである。【選択図】  なし【特許請求の範囲】
【請求項１】
麹菌による大豆胚芽発酵物からなる寿命延長組成物。
【請求項２】
請求項１に記載の組成物を含む寿命延長食品。
【発明の詳細な説明】
【技術分野】
【０００１】
本発明は、麹菌による大豆胚芽発酵物からなる寿命延長組成物に関する。
【背景技術】
【０００２】
我が国は世界でも有数の長寿を誇っている。しかしながら、平均寿命の延長が達成される一方で、生活習慣などの違いにより満足な寿命を迎えることなく亡くなる方々も少なくない。
【０００３】
寿命の更なる延長を願う観点から、簡便に摂取が可能かつ安全な健康食品素材が期待されている。
【０００４】
これまでにも、キトサンを有効成分とすることを特徴とする寿命延長剤（特許文献１）や、果実由来のポリフェノールを有効成分として含有することを特徴とする寿命延長剤（特許文献２）などが開発されてきた。しかし科学的な処理などを行わず、より日常的に摂取が可能な食品に近い形で寿命延長を叶える組成物はなかった。
【特許文献１】特開２００５−２８９８３９号公報
【特許文献２】特開２００７−１９７３７４号公報
【発明の開示】
【発明が解決しようとする課題】
【０００５】
本発明は、簡便に摂取が可能かつ安全な寿命延長組成物、またはそれを含有する寿命延長食品を提供することを目的とする。
【課題を解決するための手段】
【０００６】
本発明は、麹菌による大豆胚芽発酵物からなる寿命延長組成物、またはその組成物を含む寿命延長食品に関するものである。
【発明の効果】
【０００７】
本発明によれば、簡便に摂取が可能かつ安全な寿命延長組成物、またはそれを含有する寿命延長食品を提供することが可能となる。
【発明を実施するための最良の形態】
【０００８】
以下、本発明の実施形態について説明する。なお、本発明は、下記実施形態の記載により限定して解釈するべきでなく、特許請求の範囲における記載の範囲内で種々の変更が可能である。
【０００９】
本発明で用いられる麹菌としては特段の制限はないが、発酵物の風味の良さなどから好ましくはＡｓｐｅｒｇｉｌｌｕｓ Ａｗａｍｏｒｉが用いられる。
【００１０】
本発明で用いられる大豆胚芽としては特段の制限はなく、常法により得られる大豆胚芽が用いられる。
【００１１】
本発明に用いられる発酵の方法としては特段の制限はなく、常法によるものであればよい。
【００１２】
本発明で用いられる大豆胚芽発酵物の製造方法としては特段の制限はないが、特許第３０１４１４５号に開示される製造法が好適に用いられる。
【実施例】
【００１３】
以下、本発明の実施例について説明する。なお、本発明は、下記の実施例に限定して解釈すべきではなく、特許請求の範囲における記載の範囲内で種々の変更が可能である。
【００１４】
（調製例：大豆胚芽発酵物の製造）
大豆胚芽９９．８５質量部に対し、水を３５質量部、酢酸（食品グレード）を１．１質量部添加し、１００℃で１５０分間蒸煮した。その後３０℃に保ち３時間放冷を行った。冷却後１．１質量部のＡｓｐｅｒｇｉｌｌｕｓ Ａｗａｍｏｒｉを播種し、３５℃で４８時間製麹を行った。その後７０℃で９０分乾燥を行い、蒸気殺菌し、本発明の大豆胚芽発酵物を得た。
【００１５】
（実施例：寿命延長効果試験）
「エビ伝説」（日本動物薬品株式会社製）を用い、説明書に従いカブトエビを孵化させた。孵化した５匹のカブトエビに、付属の餌と調製例で作成した大豆胚芽発酵物を
混ぜた餌（付属餌：大豆胚芽発酵物＝３：１）を自由摂餌させ、生存日数を計測した。結果を表１に示す。また、試験期間中は説明書に従い、適切な飼育管理を行った。
【００１６】
（比較例：寿命延長効果試験）
実施例と同様にカブトエビを孵化させ、孵化した５匹のカブトエビに付属の餌を自由摂取させ、生存日数を計測した。結果を表１に示す。
【００１７】
（表１）
2010030958.tif 000002
表１に示す結果の通り、大豆胚芽発酵物を混餌摂取させた実施例群は比較例群に比較して生存日数が延長されていた（実施例群と比較例群の間のｔ検定においてｐ＞０．０５で有意差あり）。
【産業上の利用可能性】
【００１８】
このことから、本発明の麹菌による大豆胚芽発酵物を摂取することは寿命の延長に有効であり、優れた健康食品として利用することが出来る。
(57)【要約】【課題】美白化粧料に係り、特に、美白効果に優れ、シミ、ソバカスを予防及び治療することができ、皮膚に適用するものとして皮膚に対する安全性にも優れた美白化粧料を提供するものである。【解決手段】本発明における美白化粧料は、０．４〜０．７重量％の窒素含有量を有するブタ由来のプラセンタエキスを配合したものであり、プラセンタエキスは０．１〜６０％の濃度で含有している。この美白化粧料にはローション、クリーム等が含まれる。【選択図】      なし【特許請求の範囲】
【請求項１】
０．４〜０．７重量％の窒素含有量を有するブタ由来のプラセンタエキスを配合した美白化粧料。
【請求項２】
プラセンタエキスを０．１〜６０％の濃度で含有する請求項１に記載の美白化粧料。
【発明の詳細な説明】
【技術分野】
【０００１】
本発明は、美白化粧料に係り、特に、安全性および美白効果に優れ、シミ、ソバカスを予防及び治療することができる美白化粧料に関する。
【背景技術】
【０００２】
皮膚のシミやソバカスを予防及び治療することができる美白化粧料が知られている。
皮膚のシミ、ソバカスは、一般に、日光からの紫外線への暴露による刺激や、ホルモン異常、あるいは遺伝的要因によりメラノサイトが活性化され、それにより合成されたメラニン色素が皮膚内に異常沈着して発生するものと考えられている。メラニンは、チロシンが酸化されて産生される。
【０００３】
従来、このようなシミやそばかすを防ぐために、さまざまな美白化粧料が提案されてきたが、その中でも植物抽出液を添加した例が多い。
また、酸化を防止し、メラニンの産生を抑制する目的で、ビタミンＣ誘導体を配合した皮膚化粧料が提案されている。また、抗酸化剤として、酢酸トコフェロールや天然ビタミンＥが考えられる。
【０００４】
しかしながら、これらには、美白効果が十分に認められないことが多い。
さらに、プラセンタエキスを配合した美白化粧料も提案されている（特許文献１、特許文献２を参照）。しかしながら、従来のプラセンタエキスは有効成分の濃度が低いため、これら美白化粧料は、プラセンタエキスに加えて、他の成分を併用している。
【特許文献１】特開平９−２９１０２１号公報
【特許文献２】特開平６−２５６１５１号公報
【発明の開示】
【発明が解決しようとする課題】
【０００５】
したがって、本発明は、美白効果に優れ、皮膚に適用するものとして皮膚に対する安全性にも優れた美白化粧料を提供することを目的とする。
【課題を解決するための手段】
【０００６】
本発明によると、０．４〜０．７重量％の窒素含有量を有するブタ由来のプラセンタエキスを配合した美白化粧料が提供される。
【発明の効果】
【０００７】
本発明の美白化粧料は、皮膚の美白効果に優れ、皮膚に対する安全性にも優れている。
【発明を実施するための最良の形態】
【０００８】
本発明は高い窒素含有量を有するブタ由来のプラセンタエキスを美白活性成分として配合した美白化粧料である。
【０００９】
本発明の美白有効成分であるプラセンタエキスは、０．４〜０．７重量％という高い窒素含有量を有するブタ由来のプラセンタエキスである。かかるプラセンタエキスを製造するためには、ブタ（Susscrofa Linne var. domesticus Gray (Suidae)）から採取した胎盤を選別し、水洗した後、ミンチ状に処理し、水洗し、脱水する。ついで、分解酵素を用いて、温度４５〜７０℃で胎盤を１日かけて分解し、５０μｍフィルタで５℃にてろ過した後、温度０〜１℃で一晩放置し、沈殿を析出させる。
【００１０】
これを、１５μｍフィルタで５℃にてろ過し、ろ液を冷凍して１週間以上保管した後、０〜１℃で解凍し、沈殿物を０．２２μｍフィルタで５℃にてろ過して除去しプラセンタエキスを得る。このようにして得られるブタプラセンタエキスは、窒素を０．４〜０．７重量％という高い濃度で含有するにも拘わらず、臭みがない。かかるブタプラセンタエキスは、（株）イオンから市販されている。
【００１１】
本発明の美白化粧料は、美白活性成分として上記プラセンタエキスのみを含んでいればよく、他の美白活性成分と併用する必要は特にない。
ブタプラセンタエキスは、化粧料中０．１〜６０％の濃度で配合することが好ましい。本発明の美白化粧料には、ローション、クリーム等が含まれる。
【実施例】
【００１２】
次に、本発明を実施例により説明するが、本発明はこれら実施例により限定されるものではない。
実施例１
水５０重量部にブタプラセンタエキス（（株）イオン製；窒素含有量０．４３重量％）５０重量部を配合して、ローションを得た。
【００１３】
実施例２
水７０重量部にブタプラセンタエキス（（株）イオン製；窒素含有量０．４３重量％）３０重量部を配合して、ローションを得た。
【００１４】
比較例１
水５０重量部に通常ブタプラセンタエキス（一丸ファルコス（株）製；窒素含有量０．０１重量％）５０重量部を配合して、ローションを得た。
【００１５】
比較例２
水７０重量部に通常ブタプラセンタエキス（一丸ファルコス（株）製；窒素含有量０．０１重量％）３０重量部を配合して、ローションを得た。
【００１６】
＜美白効果試験＞
３０名の女性パネラーに２ヶ月間上記ローションを使用してもらい、使用後の美白効果を次の５段階で評価してもらった。
＜評価＞
１…黒化が認められる
２…変化なし
３…わずかに淡色化が認められる
４…中程度の淡色化が認められる
５…顕著な淡色化が認められる。
【００１７】
結果を下記表１に示す。
【表１】
2010030946.tif 000002
表１に示すように、本発明の美白化粧料は、顕著な皮膚の淡色化が認められている。特に、実施例１の美白化粧料は美白効果に優れている。
なお、本試験中いずれのパネラーからも、皮膚の異常（カブレ、タダレ）や刺激は認められなかった。
【産業上の利用可能性】
【００１８】
皮膚の安全性および美白効果に優れ、シミ、ソバカスを予防及び治療することができる。
(57)【要約】【課題】  本発明は花材の切断部から雑菌が入り込んだり、空気が入り込むのを確実に防止することができるとともに、生け花の水の腐敗を防止して、花材の長期間の保存が可能な生け花の生け方および生け花用水あげ剤を得るにある。【解決手段】  生け花する花材を水中で切断する水切り工程と、水切り工程を経た花材の切断部に焼カリミョウバンが９５％、無水ブドウ糖が５％で構成された生け花用水あげ剤を塗布する生け花用水あげ剤塗布工程と、約１．８リットルの水に約１グラムの生け花用水あげ剤を入れた花器に前記生け花用水あげ剤塗布工程を経た花材を生ける工程とで構成している。【選択図】  図１
2010030904.tif 000002
【特許請求の範囲】
【請求項１】
生け花する花材を水中で切断する水切り工程と、この水切り工程を経た花材の切断部に焼カリミョウバンが９５％、無水ブドウ糖が５％で構成された生け花用水あげ剤を塗布する生け花用水あげ剤塗布工程と、約１．８リットルの水に約１グラムの生け花用水あげ剤を入れた花器に前記生け花用水あげ剤塗布工程を経た花材を生ける工程とを含むことを特徴とする生け花の生け方。
【請求項２】
９５％の焼カリミョウバンの粉末と、５％の無水ブドウ糖の粉末とを混合して形成したことを特徴とする生け花用水あげ剤。
【発明の詳細な説明】
【技術分野】
【０００１】
本発明は生け花の生け方および生け花用水あげ剤に関する。
【背景技術】
【０００２】
従来、生け花をする場合、花器に水を入れて花を生けるか、あるいは花器に入れた水に保存剤を入れて花を生けている。
【０００３】
しかし、この従来の生け花の生け方では花の茎の切断部から雑菌が入り込むとともに、空気中で切断しているため、切断部の茎に空気が入り込み、花の水あげが充分にできず早く痛んでしまうという欠点があった。
【特許文献１】特になし
【発明の開示】
【発明が解決しようとする課題】
【０００４】
本発明は以上のような従来の欠点に鑑み、花材の切断部から雑菌が入り込んだり、空気が入り込むのを確実に防止することができるとともに、生け花の水の腐敗を防止して、花材の長期間の保存が可能な生け花の生け方および生け花用水あげ剤を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は生け花する花材を水中で切断する水切り工程と、この水切り工程を経た花材の切断部に焼カリミョウバンが９５％、無水ブドウ糖が５％で構成された生け花用水あげ剤を塗布する生け花用水あげ剤塗布工程と、約１．８リットルの水に約１グラムの生け花用水あげ剤を入れた花器に前記生け花用水あげ剤塗布工程を経た花材を生ける工程とで生け花の生け方を構成している。
【発明の効果】
【０００７】
以上の説明から明らかなように、本発明にあっては次に列挙する効果が得られる。
【０００８】
（１）生け花する花材を水中で切断する水切り工程と、この水切り工程を経た花材の切断部に焼カリミョウバンが９５％、無水ブドウ糖が５％で構成された生け花用水あげ剤を塗布する生け花用水あげ剤塗布工程と、約１．８リットルの水に約１グラムの生け花用水あげ剤を入れた花器に前記生け花用水あげ剤塗布工程を経た花材を生ける工程とからなるので、切断した花材の切断部から空気中の雑菌が入り込んだり、空気が入り込むのを防止することができる。
したがって、雑菌によって早く枯れたり、空気の入り込みによって導管の働きを阻止して水上げができなくなり早く枯れたりするのを防止でき、長期間生きた状態での保存ができる。
【０００９】
（２）前記（１）によって、水切りした花材の切断部に生け花用水あげ剤を塗布するとともに、花器等の水に入れるため、該生け花用水あげ剤の焼ミョウバンによって花材の切断部の殺菌および水の殺菌効果が得られ、花や水が腐るのを効率よく防止することができる。
【００１０】
（３）前記（１）によって、生け花用水あげ剤のブドウ糖によって、花材の栄養補給をすることができる。
したがって、長期間生きた状態を保つことができる。
【００１１】
（４）前記（１）によって、簡単な操作によって行なうことができるので、楽に行なうことができる。
【００１２】
（５）生け花用水あげ剤は粉末であるため、使用しやすく、かつ楽に持運ぶことができる。
【発明を実施するための最良の形態】
【００１３】
以下、図面に示す本発明を実施するための最良の形態により、本発明を詳細に説明する。
【００１４】
図１ないし図４に示す本発明を実施するための最良の第１の形態において、１は生け花する花材２を桶３等の水４の中で切断する水切り工程で、この水切り工程１で花材２を水４の中で切断することにより、切断部に空気中の雑菌や空気が入り込むのを防止する。
【００１５】
５は前記水切り工程１を経た花材２の切断部に本発明の生け花用水あげ剤６を塗布する生け花用水あげ剤塗布工程である。
この生け花用水あげ剤塗布工程５で使用される生け花用水あげ剤６は、９５％の焼カリミョウバンの粉末と、５％の無水ブドウ糖を混合して構成されたものが使用される。
【００１６】
７は約１．８リットルの水に約１グラムの前記生け花用水あげ剤６を入れた花器８に、前記生け花用水あげ剤塗布工程５を経た花材２を生ける花材の生け工程である。
【００１７】
このように花器８内の水に生け花用水あげ剤６を入れることにより、花器８内の水中のバクテリヤの繁殖を焼カリミョウバンの作用で防ぎ、花材２の導管の働きを正常に保つとともに、ブドウ糖の作用で花材２への栄養の補給を行なう。
なお、無水ブドウ糖は５％しか含まれていないため、ブドウ糖によって花器８内の水が腐敗することがない。
【産業上の利用可能性】
【００１８】
本発明は生け花用水あげ剤を製造する産業で利用される。
【図面の簡単な説明】
【００１９】
【図１】本発明の第１の実施の形態を示す工程図。
【図２】水切り工程の説明図。
【図３】生け花用水あげ剤塗布工程の説明図。
【図４】花材の生け工程の説明図。
【符号の説明】
【００２０】
１：水切り工程、             ２：花材、
３：桶、                        ４：水、
５：生け花用水あげ剤塗布工程、
６：生け花用水あげ剤、  
７：花材の生け工程、
８：花器。
【図１】
2010030904.tif 000003
【図２】
2010030904.tif 000004
【図３】
2010030904.tif 000005
【図４】
2010030904.tif 000006
(57)【要約】【課題】正しい捕球体勢を体感して捕球体勢の矯正を容易にするとともに、正しい捕球体勢の指導を補助する練習具を提供する。【解決手段】本発明は、捕球体勢矯正具で、捕球において肘が身体に近い所にいつも在ることを意識して捕球することで、腰高では低いゴロの捕球が出来ないことお体感しこの練習具を使用することで低いゴロでも簡単に捕球できることお体感しこの捕球体勢矯正具を使用することで補球体勢を正しく体得することを特徴とする練習具である。【選択図】図１
2010088715.tif 000002
【特許請求の範囲】
【請求項１】
グラブを持つ左右いずれかの手の上腕部と前腕部に別々に巻きつけて固定する、上腕部用ベルトと、前腕部用ベルトと、この両ベルトを繋ぐ連結ベルトと、この連結ベルトのほぼ中央部に一端が取り付けられ、伸びでた他端がユニホームの腰ベルトに取り付けられて実質的な長さが調整自在な固定ベルトからなる捕球体勢矯正練習具。
【発明の詳細な説明】
【技術分野】
【０００１】
本発明は、野球及びソフトボールの補球体勢特にゴロの捕球体勢を矯正し、その捕球体勢のマスターの向上を図るものである。
【背景技術】
【０００２】
本発明は、全ての選手の捕球体勢の矯正に役立つ練習具を提供するものである。これまでこの種の練習としては、例えば特許文献１に示すようにバッティング練習用の補助具はあったが、捕球矯正用の補助具は実用化されていなかった。そこで、ゴムチューブを腕の動き制限のために巻き付けたり、脇にタオルを挟みこんで腕の不要な動きを制限しつつ捕球することが行われていた。しかし、体型や背丈の関係なく捕球体勢を矯正する練習具は提供されていなかった。
【特許文献１】特開２０００−２０２０８２号公報
【発明の開示】
【発明が解決しようとする課題】
【０００３】
本発明は、前記の適当な練習具がないという問題を解決し、あわせて野球及びソフトボールの捕球は、フライもゴロも正しく基本体勢をマスターすることが上達の大切な基本であることに基づいて最良な体勢矯正用の練習具を提供するものである。
【課題を解決するための手段】
【０００４】
本発明では、選手のグラブを持つ手の上腕部と前腕部にそれぞれ別々に巻きつける上腕部用と前腕部用の２つのベルトを、連結ベルトで繋ぎ、その中央部分に一端が固定され延びた長さの調整が可能な固定ベルトの他端をユニホームの腰のベルトに固定した捕球体勢矯正のための練習具である。そして打球がフライまたはゴロのいずれであっても、その打球に見合った最良の長さに固定ベルトを調整することで最良の捕球体勢がマスターできる。
【発明の効果】
【０００５】
本発明は、この捕球体勢矯正練習具を継続使用することで、正しい捕球体勢を選手自体が実感し指導者がその場に居なくても正しい捕球体勢がマスターできるものである。なお使用者の体格に応じて固定ベルトの長さは長くもあるいは短くも最良に調整できるため、大人も子供も身体の大きさによらず誰でもが容易に使用できるものである。
【発明を実施するための最良の形態】
【０００６】
本発明の、実施形態にかかる捕球体勢矯正具を図１から図３に基づいて説明する。使用者（選手）のグラブを持つ手の上腕部１と前腕部２に固定用のベルト例えば布製ベルトを巻きつけ、両面テープ５,６で７，８に固定し、上腕部用と前腕部用の各ベルト１，２を連結ベルト３で繋ぎ、この連結ベルト３の中央部に一端が固定され、そこから延びた調整自在な固定ベルト４の他端をユニホームの腰ベルトに両面テープ９,１０でその長さを調整して固定する。
【実施例１】
【０００７】
上腕部ベルト１も前腕部ベルト２も子供は約２５センチ前後である。この両ベルト１及び２を繋ぐ連結ベルト３は強く繋ぎステッチをかける。１,２を繋ぐ長さは４センチほどである。３から伸びる固定ベルト４の長さは４０センチほどである。大人用は上腕部ベルトも前腕部ベルトも４０センチほどであり、両ベルト１,２を繋ぐ連結ベルトの長さは５センチほどである。さらに固定ベルト４の長さは４０センチほどである。なお１，２の素材はスナップバンドに使用する材料でも良い。
【図面の簡単な説明】
【０００８】
【図１】本発明の、捕球体勢矯正具の全体図、表側を示す
【図２】本発明の、捕球体勢矯正具の全体図、裏側を示す
【図３】本発明の、捕球体勢矯正具を腕に取り付けた図を示す
【符号の説明】
【０００９】
１、２、腕に巻くベルト部分
３腕に巻くベルト部分を繋ぐ連結ベルト
４ユニホームのベルトに固定するベルト
５,６，７，８腕に巻きつける両面テープ部分
９，１０ユニフォームのベルトに固定する両面テープ部分
【図１】
2010088715.tif 000003
【図２】
2010088715.tif 000004
【図３】
2010088715.tif 000005
(57)【要約】【課題】ゴルフのパット技術とは、ボールを転がす方向の精度とカップまでの距離感とグリーンの傾斜及び芝目によるラインを読む能力である。多くのゴルファーはボールを狙った方向へイメージしたとおりに打ち出すことができない。しかしなぜ狙った方向へ正しく打ち出せないのかがよくわからないのでいつまでも上達しない。【解決手段】上記の課題を解決するために、従来のゴルフボールの正中線内に円柱を挿入した形状を特徴とするパット練習用変形ゴルフボールで練習することにより、ボールを転がす方向の精度を短期間で向上させることができる。【選択図】図１
2010088593.tif 000002
【特許請求の範囲】
【請求項１】
従来のゴルフボールを正中線上で半球に切断し、その断面図内にゴルフボールの直径と同じ直径の円柱を挿入した形状であることを特徴とするパット練習用変形ゴルフボール。
【請求項２】
請求項１の円柱の長さは３０ｍｍ〜８０ｍｍの範囲で適宜選択できるものとし、長径方向の長さの異なる形状であることを特徴とするパット練習用変形ゴルフボール。
【発明の詳細な説明】
【技術分野】
【０００１】
本発明は、ゴルフにおけるパット練習時のミスを認識し易くし、パットの精度を向上させるための練習用変形ゴルフボールに関するものである。
【背景技術】
【０００２】
従来パットの精度を向上させる技術は、パターの改良と打法の研究により行われてきた。
【０００３】
ゴルフボール自体にパット精度を向上させるための工夫をしたものは無い。
【特許文献１】実用新案登録第３０９０００５号公報
【発明の開示】
【発明が解決しようとする課題】
【０００４】
ゴルフのパットの技術とは、ボールを転がす方向の精度とカップまでの距離感とグリーンの傾斜及び芝目によるラインを読む能力であると言われる。
しかしながら、多くのゴルファーが一生懸命練習してもパット技術はなかなか上達せず、またなぜ上達しないのかがよくわからないというのが現状である。
そこで、この発明は、ボールの形状を円柱状にしてボールの転がる方向を一義的に定めることにより、パターフェースの正確な向きとボールを打ち出す方向が容易に認識できるパット練習用変形ゴルフボールを提供することを課題とする。
【課題を解決するための手段】
【０００５】
以上の課題を解決するために、従来のゴルフボールの正中線内に円柱を挿入した形状であるこのボールで練習することにより、パターフェースの正確な向きとボールを打ち出す方向が容易に認識できることを特徴とするパット練習用変形ゴルフボールである。
【発明の効果】
【０００６】
このパット練習用変形ゴルフボールを使ったパット練習では、ボールの円柱部側面をパターフェースで打つことになる。パット練習用変形ゴルフボールを練習のためにマット面又は芝面に置いた時点でボールの正しく転がる方向は一義的に定まってしまう。したがってインパクトの時点でボールの円柱部側面とパターフェースの向きが平行でなければ、ボールは目標とする方向とは異なった方向に転がるので、パターフェースの向きが正しいか否かが容易に認識できる。
【０００７】
このパット練習用変形ゴルフボールを使ったパット練習では、ボールの円柱部側面をパターフェースで打つので、たとえインパクト時点でのパターフェースの向きが正しくてもインパクト後のフォローの方向が正しくなければボールは目標方向へは転がらないので、インパクト後のパターヘッドを押し出す方向が正しいか否かについても容易に認識できる。
【０００８】
このパット練習用変形ゴルフボールを使ってパット練習を行えば、短期間で正しいパターフェースの向きとインパクト後の正しいパターヘッドの押し出し方向が習得できるので、従来の球形のゴルフボールを打つ精度が短期間で飛躍的に向上する。
【発明を実施するための最良の形態】
【０００９】
この発明の実施形態を、図１に示す。
従来のゴルフボールを正中線上で半球に切断し、その断面内にゴルフボールの直径と同じ直径の円柱を挿入した形状のパット練習用変形ゴルフボールであり、挿入する円柱の長さは３０mmから８０ｍｍの範囲である。ただし半球の部分は必ずしも必要としない。
【実施例１】
【００１０】
円柱部の長さが長いパット練習用変形ゴルフボールを使ったパット練習では、パターフェースの向きが正しいか否かを認識しやすいという特徴がある。
【００１１】
円柱部の長さが短いパット練習用変形ゴルフボールは形状が通常のボールに近いので、より実戦に近い感覚で打ち出し方向に関する小さなミスを認識し易いという特徴がある。
【００１２】
したがって、パット練習用変形ゴルフボールを製品化する際には、円柱部の長さを３０mm 、５０mm 、８０mm程度にしたものをセットすることが望ましい。
【図面の簡単な説明】
【００１３】
【図１】円柱部の長さが８０mmのパット練習用変形ゴルフボールの形状を示した斜視図である。
【図１】
2010088593.tif 000003
(57)【要約】【課題】  本発明の解決すべき課題は餃子のような風味を有した餃子蒲鉾の製造方法を提供することにある。【解決手段】  魚肉白身を調味料とともに擂潰する擂潰工程と、刻みニラを投入混合した後、所定形状に成形する成形工程と、前記成形体の魚肉タンパク質繊維を網状組織とするすわり工程と、前記すわり工程を経た成形体を８５℃以上とする加熱工程と、を備えたことを特徴とする餃子蒲鉾の製造方法。【選択図】      なし【特許請求の範囲】
【請求項１】
魚肉白身を調味料とともに擂潰する擂潰工程と、
刻みニラを投入混合した後、所定形状に成形する成形工程と、
前記成形体の魚肉タンパク質繊維を網状組織とするすわり工程と、
前記すわり工程を経た成形体を８５℃以上とする加熱工程と、
を備えたことを特徴とする餃子蒲鉾の製造方法。
【請求項２】
請求項１記載の方法において、擂潰工程は、魚肉のみを粗擂りした後、塩を加え塩擂りし、さらに澱粉及び調味料を加えて本擂りすることを特徴とする餃子蒲鉾の製造方法。
【請求項３】
請求項１又は２記載の方法において、刻みニラは３〜１０mm長に刻んだものを擂潰すり身に対し０．５〜５％添加することを特徴とする餃子蒲鉾の製造方法。
【発明の詳細な説明】
【技術分野】
【０００１】
本発明は蒲鉾の製造方法、特に餃子のような風味を持った餃子蒲鉾の製造方法に関する。
【背景技術】
【０００２】
餃子は中華食品の代表格として古くから日本でも親しまれている。しかしながら、肉等を主原料とし、しかも調理中に使用する油も含め油脂含量も高く、近年のダイエットブームにはややそぐわない食品となっている。しかも、餃子を家庭で調理する際には、小麦粉の皮が破れてしまい、具が露出してしまうこともあり、一般的な水餃子、焼き餃子はまだしも、鍋物などに加える場合には取扱の難しい食材でもあった。
一方、蒲鉾も魚肉練り製品の主役として広く親しまれている。しかしながら、食味の淡白さという特徴を生かしつつ、各種調味を行うことは難しく、チーズ風味に仕立てた加工食品などが見られるのみであった。
【特許文献１】特開２００６−２８８２８４
【特許文献２】特開２００６−１０１７３４
【発明の開示】
【発明が解決しようとする課題】
【０００３】
本発明は前記従来技術に鑑みなされたものであり、その解決すべき課題は餃子のような風味を有した餃子蒲鉾の製造方法を提供することにある。
【課題を解決するための手段】
【０００４】
前記目的を達成するために本発明は、
魚肉白身を調味料とともに擂潰する擂潰工程と、
刻みニラを投入混合した後、所定形状に成形する成形工程と、
前記成形体の魚肉タンパク質繊維を網状組織とするすわり工程と、
前記すわり工程を経た成形体を８５℃以上とする加熱工程と、
を備えたことを特徴とする。
また、前記方法において、擂潰工程は、魚肉のみを粗擂りした後、塩を加え塩擂りし、さらに澱粉及び調味料を加えて本擂りすることが好適である。
また、前記方法において、刻みニラは３〜１０mm長に刻んだものを擂潰すり身に対し０．５〜５％添加することが好適である。
【発明の効果】
【０００５】
本発明にかかる餃子蒲鉾の製造方法は、加熱調理によってもしっかりとした弾力性のある組織を維持する魚肉練り製品の特質を生かしつつ、これを餃子風味とすることにより、調理適性に優れ、しかも優れた食味を有する食品を提供することができる。
【発明を実施するための最良の形態】
【０００６】
以下、本発明の好適な実施形態を説明する。
表１は本発明の一実施形態にかかる餃子蒲鉾の配合が示されている。
表１
冷凍魚肉すり身                ５９０ｇ
食塩                            １３ｇ
澱粉                            ６２ｇ
ゴマダレ                        ４７ｇ
発酵調味料                      １２ｇ
擂り下ろしニンニク                ９．３ｇ
ソルビトール                      ６．５ｇ
調味料（アミノ酸等）            ２５ｇ
保存料（ソルビン酸製剤）          ４．５ｇ
水                            ２１１．７ｇ
刻みニラ                        １９ｇ    
合計                        １０００ｇ
【０００７】
餃子蒲鉾製造工程
上記表１の組成にしたがい、餃子蒲鉾を製造した。
［前処理］
冷凍すり身を処理前日に冷凍庫より出庫し、冷蔵庫に保管し解凍する。
解凍後、ブロックカッターですり身の粗切りを行う。
［擂潰工程］
ボールカッターにより粗切りすり身の擂潰を行う。
まず、すり身のみを、温度の上昇を抑えつつ擂る。
その後、魚肉に対して２〜３質量％の食塩（本実施形態では対魚肉２．２％）を加えて擂り、弾力性を向上させる。
さらに、澱粉、ゴマダレ、発酵調味料、擂り下ろしニンニク、ソルビトール、調味料、保存料を添加し、本擂りを行う。これらの味付けは、基本的に餃子の味を再現するように行うことが好ましい。
【０００８】
［成形工程］
擂り上がり後、刻みニラを投入混合する。擂潰工程で調味料などとともに刻みニラを投入すると、ニラの原形が失われ、食味も悪くなる傾向にある。特に餃子においては、ニラの香り及び味は重要な位置をしめており、また外観からも緑色のニラ片が散在することで、餃子蒲鉾としての商品価値が著しく向上する。このため、刻みニラは擂潰後ないし擂潰終了直前に投入混合しており、その刻みの大きさも３〜１０mm、特に好ましくは５〜７mm程度としている。刻みニラの添加量は、配合全量に対して０．５〜５質量％、特に好ましくは１〜３％程度である。
刻みニラ混合後に成型を行うが、形態はどのようなものでも問題はない。しかし、餃子蒲鉾という商品特性上、日本人が餃子の形態として最も認識度が高い、一口大の半円状に成型するのが好ましい。
【０００９】
［すわり工程］
成型体は、比較的低温に放置され、タンパク質の網状構造の形成により弾力性と形態維持能が付与される。放置温度及び時間は３０〜４０℃で６０〜９０分間程度、１０〜１５℃で２０時間前後である。
［加熱工程］
すわりを終了した成型体は形態、弾力性の維持、内部の殺菌をかねて加熱される。この加熱は蒸煮、焙焼、湯煮、油揚等により行い、８５℃以上、好ましくは９０℃程度にする。
【００１０】
［包装］
加熱後、所望により包装を行う。真空包装などを行い長期保存を期待する場合には、包装時混入の雑菌の殺菌を行うため、包装終了後に９０℃  ３０分程度の加熱殺菌を行い、急冷、冷蔵することが好ましい。
以上のように本実施形態によれば、外観、食味ともに良好な餃子蒲鉾を提供することができる。しかも、この餃子蒲鉾は、通常の水餃子、或いは焼餃子の代替として使用してもよく、さらに鍋物などに使用した際にも煮崩れが生じにくく、調理も容易である。
(57)【要約】【課題】本願発明は、壁面に設置し、土壌の保全、給水などの管理の可能な壁面緑化装置の提案にある。【解決手段】本発明は、壁面緑化において、壁面側に垂直に立てた案内棒と案内棒に沿って昇降するプランターからなり、当該プランターの昇降はロープによってなされ、当該ロープにはプランターを、間隔をあけて固定する固定部が設けられ、前記プランターには前記案内棒が貫通する案内孔とロープが貫通するロープ孔が設けられ、プランターを壁面に沿って上下に昇降可能とした壁面緑化装置である。土壌の保全、給水、剪定をするためまた強い風の影響を避けるためプランターを昇降可能とした。【選択図】図1
2010088394.tif 000002
【特許請求の範囲】
【請求項１】
壁面緑化において、壁面側に垂直に立てた案内棒と案内棒に沿って昇降するプランターからなり、当該プランターの昇降はロープによってなされ、当該ロープにはプランターを、間隔をあけて固定する固定部が設けられ、前記プランターには前記案内棒が貫通する案内孔とロープが貫通するロープ孔が設けられ、プランターを壁面に沿って上下に昇降可能とした壁面緑化装置。
【発明の詳細な説明】
【技術分野】
【０００１】
本発明は、壁面特に建物の壁面を緑化するための壁面緑化技術に属する。
【背景技術】
【０００２】
壁面を緑化した壁面緑化物は、フェンスに絡ませたつた類、図４に示したように、特許公開2002-327440、特許公開2002-330631に開示されたように植物を根付かせた人工の緑化盤を壁に垂直に懸架したもの、垂直に懸架した繊維マットに植物を育成させあるいは植物の茎や枝を格子に結束したもの、あるいは棚に並べた植木箱等がある。あるいは多孔質の壁にこけ、シダ類を育成したものが知られている。
【０００３】
これら壁面緑化物は、特に垂直に懸架した繊維マットや多孔質の壁では、植生が生育するだけの充分な土壌が供給できないため、また土壌の保全が困難なため利用できる植物が制限される等の問題点がある。また風の影響をまともに受けるため、樹木など育てることが困難であった。
【０００４】
【特許文献１】特許公開2002-327440
【特許文献２】特許公開2002-330631
【発明の開示】
【発明が解決しようとする課題】
【０００５】
本願発明は、壁面に設置し、土壌の保全、給水などの管理の可能な壁面緑化装置の提案にある。
【課題を解決するための手段】
【０００６】
本発明は、壁面緑化において、壁面側に垂直に立てた案内棒と案内棒に沿って昇降するプランターからなり、当該プランターの昇降はロープによってなされ、当該ロープにはプランターを、間隔をあけて固定する固定部が設けられ、前記プランターには前記案内棒が貫通する案内孔とロープが貫通するロープ孔が設けられ、プランターを壁面に沿って上下に昇降可能とした壁面緑化装置である。土壌の保全、給水、剪定をするため、また強い風の影響を避けるためプランターを昇降可能とした。
【発明の効果】
【０００７】
プランターを壁面に沿って昇可能としたため、給水、土壌の保全、剪定などの世話が容易にできる。
【発明を実施するための最良の形態】
【０００８】
以下本発明を図によって、より詳細に説明する。
図１は、本発明の壁面緑化装置の概念図である。図に示す本壁面緑化装置は壁面に沿って垂直に設けられた案内棒と案内棒の両側に設けた2本のロープとプランターからなる。プランターはその中央に案内棒が貫通する筒状の案内孔がその底面に開口しプランターの上面で開口している。またその両側にロープが貫通するための筒状のロープ孔が同様に設けられている。ロープが貫通するプランターの底部にはプランターの位置を一定の間隔を以って維持するため固定部が設けられている。
案内孔の位置、ロープ孔の位置及びそれらの数は適宜変更することができる。
【０００９】
図１はプランターが通常時壁面に配置された状態を示しており。図２は強い風のあるときあるいはプランター中で育つ植物の世話のためなどのため下に下ろした状態を示している。
【００１０】
図３はプランターの詳細図である。プランターの中心には図では十字の筒状の案内孔がその底面と上面に開口するよう設けられている。同じ形状の案内棒に沿って壁面に平行に上下に移動可能とされている。案内棒及び案内孔は本形状に限らず、プランターの昇降時ぶれないような形状であれば本形状に限らない。
案内孔の両側にはロープが通る筒状のロープ孔が設けられている。ロープ孔の位置はプランター内に限らずプランターの側面に外側に設けてもよい。案内孔に対し左右対称の位置に設ければよい。
【００１１】
屋上には図示しないがロープを上下に昇降するための昇降具を設けておくことができる。本壁面緑化装置用プランターの材質は樹脂、ステンレススチール、アルミニウムなどが使用可能であるが、使用期間、壁面の気象条件などを考慮して適切な材質を選ぶことができる。
【図面の簡単な説明】
【００１２】
【図１】は、 本発明に係る壁面緑化装置の平常時の概念図である。
【図２】は、本発明の壁面緑化装置を強風時等下に降ろした状態を示す概念図である。
【図３】は、本発明の壁面緑化装置用のプランターを示す概念図である。
【図４】は、従来の壁面緑化を示す概念図である。
【符号の説明】
【００１３】
１  壁面緑化装置
２  案内棒
３  ロープ
３１  固定部
４  プランター
４１  案内孔
４２  ロープ孔
５  建物
【図１】
2010088394.tif 000003
【図２】
2010088394.tif 000004
【図３】
2010088394.tif 000005
【図４】
2010088394.tif 000006
(57)【要約】【課題】ヒーターで水温管理されている観賞魚用水槽の放熱を防ぎ、水槽の美しさも損なわず、かつ水槽外部を簡素にまとめることを、平易に達成するため、保温効果のある装飾シートを提供する。【解決手段】断熱材シート２の表面に装飾図柄をプリントし、その装飾面１に粘着力を持たせ、観賞魚用水槽の外部ガラス面に直接貼り付けることで、平易かつ効率的に水槽の保温と装飾を同時達成できるようにする。【選択図】図１
2010088417.tif 000002
【特許請求の範囲】
【請求項１】
断熱素材に、色や絵や写真等の装飾図柄を直接プリントした、またはプリントした薄い表面材を貼り付けた、粘着力のあるシート。
【発明の詳細な説明】
【技術分野】
【０００１】本発明は、観賞魚用水槽の水を温めるのに必要なヒーターの電気代を節約する事と、観賞魚用水槽の背景を好みの色や図柄で装飾する事を、同時に達成するため、断熱素材を用いた背景装飾シートを作り、それを水槽外部の背面及び側面に粘着剤で貼り付ける事で、水槽を平易かつ効率的に保温しながら水槽の装飾効果を得られるようにしたものである。
【背景技術】
【０００２】従来は、水槽の背景装飾用シートに保温効果を持つものは無かった。
【発明の開示】
【発明が解決しようとする課題】
【０００３】冬の寒い時期などに観賞魚用水槽の水温を一定に保つためにはヒーターで水槽内を温めねばならないが、水槽のガラス面から絶えず大気中に熱が放出されるため、電気代のコストに無駄が多かった。保温のため水槽外部を断熱材で覆うと、水槽の背景に断熱材が透けて見え、美しさが損なわれる。水槽外部に装飾用シートを貼り付け、その上から断熱材で覆うと、断熱材の水槽への密着度が低く保温効果が低下するうえに、かさばり、二重貼り付けの手間が面倒でもあった。本発明はこれらの課題を解消するためになされたものである。
【課題を解決するための手段】
【０００４】断熱材シートに、観賞魚用水槽の背景を装飾する色や図柄を直接プリントするか、またはプリントした薄い表面材を貼り付ける。そのシートの装飾面に粘着剤を塗布し、観賞魚用水槽のガラス外部背面および側面に直接貼り付けて使用できるようにした。
【発明の効果】
【０００５】観賞魚用水槽の外部ガラス面に直接断熱材を貼り付け密着させるため、平易かつ効率的に水槽の保温ができ、ヒーターにかかる電気代を節約すると同時に、これ１枚で水槽背景を好みの色や図柄で装飾することもできるため、水槽外部が簡素にまとまる。
【発明を実施するための最良の形態】
【０００６】数ミリ厚の発泡樹脂シートの片面に、美しい水中写真等を貼り付け、写真面側に粘着剤を施し、粘着面を剥離紙で覆う。市販されている観賞魚用水槽のガラス面のサイズに合わせて裁断する。
【産業上の利用可能性】
【図面の簡単な説明】
【０００７】
【図１】本発明の投影図である。
【符号の説明】
【０００８】１  装飾図柄印刷面、粘着面
２  断熱材シート
【図１】
2010088417.tif 000003